(57)【特許請求の範囲】
【請求項１】
発券機本体の内部に、用紙ロールから引き出した帯状の券紙を一つの垂直面内に配した搬送経路に沿って移動させる搬送手段と、前記搬送経路を移動する途中の券紙に対して所定の情報を印刷する印刷手段と、巻紙裏面に磁気情報を書き込み、読みとりチェックを行う磁気書き込み読みとり手段と、券紙を所定長さにカットする券紙カット手段とが具備され、印刷されてカットされた券を発券機本体の前部より排出する携帯型発券機において、
前記発券機本体の側方に、該発券機本体内の前記券紙の前記搬送経路と平行に並ぶように用紙ホルダを配置するとともに、前記発券機本体の後部に、前記用紙ホルダから引き出した券紙を発券機本体の外部で半周ループ状にして折り返した上で、前記発券機本体の後部入口に案内する用紙ガイドを設け、該用紙ガイドによって前記用紙ホルダ内の前記用紙ロールから前記搬送経路と平行に後方へ引き出した前記券紙を折り返すことで、前記発券機本体の後部より前記搬送経路の入口に送り込んで該搬送経路に沿って前方へ移動可能としたことを特徴とする携帯型発券機。
【請求項２】
前記用紙ガイドは、長方形のスロットとして形成され、前記用紙ホルダから引き出した前記巻紙を後方に向けて引き出す引出口と、該引出口から引き出して半周ループ状に湾曲した前記巻紙の上端を支持する巻紙通し部と、長方形のスロットとして形成され、前記巻紙通し部で半周ループ状に折り返した前記巻紙を前記発券機本体の前記後部入口に前向きに導入する導入口とを備えたことを特徴とする請求項１記載の携帯型発券機。
【発明の詳細な説明】
【０００１】
【発明の属する技術分野】
本発明は、駅等の臨時出札口における乗車券の販売や、食堂における食券の販売に利用することのできる携帯型発券機に関する。
【０００２】
【従来の技術】
携帯型発券機には、外形がコンパクトで軽いことが要求される。この種の発券機は、通常、発券機の本体の内部に、用紙ロールから引き出した帯状の券紙を移動させる搬送手段と、移動途中の券紙に対し所定の情報（駅名や金額等）を印刷する印刷手段と、券紙を所定長さにカットする券紙カット手段とを有している。そして、印刷されてカットされた券を発券機の例えば前部より排出するようになっている。
【０００３】
従来、発券機の内部に用紙ロール（直径約３００ｍｍ）を収容すると、発券機が大型化するため、発券機の本体の外側に別のホルダを設けて、それに用紙ロールをセットすることが行われている。この場合、券紙の搬送経路は、通常、券紙が捩じれないように一つの面内に設定されているため、用紙ロールのホルダも同じ面内に配置していた。
【０００４】
図５は従来の発券機の例を示す斜視図である。
この発券機１００は、発券機本体１０１と、操作盤１０２と、用紙ホルダ１０３とからなり、用紙ホルダ１０３は、発券機本体１０１内の搬送経路と同一面内に位置するように、発券機本体１０１の上部にセットされている。また、発券機本体１０１の前面に券排出口１０５が設けられている。
【０００５】
【発明が解決しようとする課題】
ところで、上記従来の発券機１００では、用紙ホルダ１０３を発券機本体１０１の上部に配置しているので、用紙ロールの直径（約３００ｍｍ）に相当する寸法だけ発券機１００の全高が大きくなり、見栄えが悪くなる上、コンパクト性に欠けて持ち運びに不便であるという問題があった。
【０００６】
本発明は、上記事情を考慮し、全体をコンパクトに構成することができ、持ち運びが容易で、見栄えのよい携帯型発券機を提供することを目的とする。
【０００７】
【課題を解決するための手段】
請求項１の発明は、発券機本体の内部に、用紙ロールから引き出した帯状の券紙を一つの垂直面内に配した搬送経路に沿って移動させる搬送手段と、搬送経路を移動する途中の券紙に対して所定の情報を印刷する印刷手段と、券紙を所定長さにカットする券紙カット手段とが具備され、印刷されてカットされた券を発券機本体の前部より排出する携帯型発券機において、前記発券機本体の側方に、該発券機本体内の前記券紙の前記搬送経路と平行に並ぶように用紙ホルダを配置するとともに、前記発券機本体の後部に、前記用紙ホルダから引き出した券紙を発券機本体の外部で半周ループ状にして折り返した上で、前記発券機本体の後部入口に案内する用紙ガイドを設け、該用紙ガイドによって前記用紙ホルダ内の前記用紙ロールから前記搬送経路と平行に後方へ引き出した前記券紙を折り返すことで、前記発券機本体の後部より前記搬送経路の入口に送り込んで該搬送経路に沿って前方へ移動可能としたことを特徴とする。
【０００８】
請求項２の発明は、請求項１において、前記用紙ガイドは、長方形のスロットとして形成され、前記用紙ホルダから引き出した前記巻紙を後方に向けて引き出す引出口と、該引出口から引き出して半周ループ状に湾曲した前記巻紙の上端を支持する巻紙通し部と、長方形のスロットとして形成され、前記巻紙通し部で半周ループ状に折り返した前記巻紙を前記発券機本体の前記後部入口に前向きに導入する導入口とを備えたことを特徴とする。
【０００９】
【発明の実施の形態】
以下、本発明の実施形態を図面に基づいて説明する。
図１は実施形態の発券機Ｍの分解斜視図、図２は同発券機Ｍの後面の構成を示す斜視図、図３は同発券機Ｍの概略側面図、図４は同発券機Ｍの概略後面図である。この発券機Ｍは、図１に示すように、発券機本体１と、操作盤２と、用紙ホルダ３と、用紙ガイド４とから主に構成されている。操作盤２と発券機本体１はケーブル３２で接続され、発券機本体１は電源ケーブル３１を介して給電されるようになっている。
【００１０】
操作盤２の盤面２ａには多数の入力キー２１が配列されると共に、所定の入力キーグループの位置には、入力キー操作孔２２ａを有した切替板２２がセットされている。また、切替板２２の上面にはスライド自在に項目シート（図１では図示省略）が装着されている。項目シートは、各入力キー２１に対応した入力項目を印刷したもので、入力キー２１の種類を特定するようになっている。また、３３は、入力内容等の切替データを入力するためのフロッピーディスクである。
【００１１】
発券機本体１の内部には、図３に示すように、用紙ロール１２から引き出した帯状の券紙１２ａを、一つの垂直面内に配した搬送経路ＰＬに沿って移動させる搬送ローラ群（搬送手段）８と、搬送経路ＰＬを移動する途中の券紙１２ａに対して所定の情報を印刷する印刷手段（図示略）と、券紙１２ａを所定長さにカットする券紙カット手段（図示略）とが具備され、印刷されてカットされた券を発券機本体１の前面の排出口５より排出するようになっている。排出口５には、券受皿６が設けられている。
【００１２】
また、用紙ロール１２を内部に収容した用紙ホルダ３は、発券機本体１の側面に着脱可能に取り付けられており、発券機本体１内の券紙の搬送経路ＰＬと平行に並ぶように配されている。図４に示すように、発券機本体１内の搬送経路ＰＬの存在する垂直面Ｌ１と、用紙ロール１２の存在する垂直面Ｌ２は、所定間隔をおいた別の面になっている。また、異なる面から引き出した券紙１２ａを、発券機本体１の後面に設けた搬送経路ＰＬの入口７にスムーズに送り込めるように、発券機本体１の後面には用紙ガイド４が設けられている。
【００１３】
用紙ガイド４は、図１、図２に示すように、用紙ロール１２から引き出した券紙１２ａを、発券機本体１の外部で半周ループにして折り返した上で発券機本体１の後部入口５（図３参照）に案内するものであり、発券機本体１の後面にボルト固定されたベース１４と、ベース１４に斜め後方に向けて立設された案内アーム１７とからなる。ベース１４には、用紙ホルダ３内の用紙ロールから後方に向けて券紙１２ａを引き出す引出口１６と、引き出した後、半周ループ状に折り返した券紙１２ａを発券機本体１の後面入口５（図３参照）に前向きに導入する導入口１５とが設けられている。
【００１４】
前記引出口１６と導入口１５は、水平より僅かに傾斜した長方形のスロットとして形成されている。また、案内アーム１７の上端には、半周ループ状に湾曲した券紙１２ａの上端を、水平より僅かに傾斜した姿勢で支持する券紙通し部１８が設けられている。これら引出口１６、導入口１５、券紙通し部１８は、半周ループ状に折り返した券紙１２ａを、無理のない姿勢で支持できるような位置関係で配置されている。
【００１５】
この発券機Ｍで発券する場合は、まず準備段階として、用紙ロール１２を用紙ホルダ３内にセットして、用紙ホルダ３を発券機本体１の側面に取り付ける。そして、用紙ロール１２から引き出した券紙１２ａの先端を、用紙ガイド４の引出口１６から外部に導き出し、券紙通し部１８を通した上で、導入口１５に差し込む。次いで、その状態で発券機本体１の内部の搬送手段を駆動する。それにより券紙１２ａが発券機本体１内に取り込まれる。
【００１６】
このように、券紙の入口７が発券機本体１の後面にあっても、用紙ホルダ３を発券機本体１の後部ではなく側面に配置したので、発券機Ｍの寸法拡大が厚さの増大のみとなる。特に、厚さの増大分は用紙ホルダ３の厚さ分のみであるから、全高や前後寸法の大きな拡大とはならず、外形のコンパクト化が図れ、持ち運びが容易になる。また、従来のように発券機本体１の上に用紙ホルダ３が突出するようなことがないので、見栄えもよくなる。
【００１７】
また、異なる平行面間で券紙１２ａを移動させるのに、特別な構造の用紙ガイド４を用いて、半周ループ状に券紙１２ａを折り返し誘導するようにしたので、外部に露出する券紙１２ａを無理なく案内することができ、券紙１２ａの送り出しをスムーズに行うことができる。
【００１８】
【発明の効果】
以上説明したように、請求項１の発明によれば、用紙ホルダを発券機本体の側方に本体内の搬送経路と平行に並ぶように配置したので、用紙ホルダの厚さ分しか外形の増大がない。従って、従来の上部に用紙ホルダを配置する発券機と比べて、コンパクトな構成とすることができ、持ち運びが容易となり、見栄えも向上する。また、発券機本体の後部に用紙ガイドを設けて適切に券紙を案内することで、搬送経路と平行に後方へ引き出された券紙をスムーズに前方の発券機本体内に送り込むことができ、券紙に無理な力が加わらなくなる。特に、請求項２の発明のように、引き出し口と、巻き紙通し部と、導入口とを備えることで、半周ループ状に無理なく案内することができ、送り出しをスムーズに行うことができる。
【図面の簡単な説明】
【図１】  本発明の実施形態の携帯型発券機の分解斜視図である。
【図２】  同発券機の後面の構造を示す部分拡大斜視図である。
【図３】  同発券機における券紙の流れを示す側面図である。
【図４】  同発券機における券紙のセット部を示す後面図である。
【図５】  従来の発券機の構成を示す斜視図である。
【符号の説明】
Ｍ 発券機１ 発券機本体３ 用紙ホルダ４ 用紙ガイド７ 入口８ ローラ（搬送手段）１２ 用紙ロール１２ａ 券紙ＰＬ 搬送経路Ｌ１ 搬送経路の存在する垂直面Ｌ２ 用紙ホルダ内の用紙ロールの存在する垂直面１５  導入口１６  引出口１８  巻紙通し部
【図１】
0003858389.tif 000002
【図２】
0003858389.tif 000003
【図３】
0003858389.tif 000004
【図４】
0003858389.tif 000005
【図５】
0003858389.tif 000006